(57)【要約】【課題】煩雑な作業なく足場の安定した所望の傾斜面を実現するゴルフ練習装置を提供する。【解決手段】ゴルフ練習装置１００は、傾斜面台１０と、芝マット部材２０と、芝マット固定部３１乃至３４と、回動部４０とを備える。傾斜面台１０は、上面１１が一端１１ａから他端１１ｂへ傾斜している台である。芝マット部材２０は、表面に芝を有するマット状の部材である。芝マット固定部３１乃至３４は、芝マット部材２０を上面１１に固定するものであり、傾斜面台１０における上面１１に設けられている。芝マット固定部３１および３２は、上面１１が傾斜している方向Ａに沿って所定距離離して設けられている。芝マット固定部３３および３４は、上面１１が傾斜している方向と略直角な方向Ｂに沿って所定距離離して設けられている。【選択図】      図１
2010264144.tif 000002
【特許請求の範囲】
【請求項１】
上面が一端側から他端側へ傾斜している台である傾斜面台と、
表面に芝を有するマット状の部材である少なくとも１つの芝マット部材と、
前記上面に設けられており、前記芝マット部材を前記上面に固定する少なくとも４つの芝マット部材固定部と
を具備し、
前記芝マット部材固定部は、少なくとも前記上面が傾斜している方向に沿って所定距離離して２つ設けられ、かつ前記上面が傾斜している方向と略直角な方向に沿って所定距離離して２つ設けられたことを特徴とするゴルフ練習装置。
【請求項２】
前記上面が傾斜している方向と所定角度を成す方向に沿って所定距離離した２つの前記芝マット部材固定部から成る芝マット部材固定ユニットを少なくとも１つさらに前記上面に設けたことを特徴とする請求項１記載のゴルフ練習装置。
【請求項３】
前記芝マット部材固定ユニットを複数設けて隣り合う前記芝マット部材固定部同士を繋ぎ合わせて略円形状の前記芝マット部材固定部を形成させたことを特徴とする請求項２記載のゴルフ練習装置。
【請求項４】
前記傾斜面台の中心付近において前記傾斜面台の前記上面から下面に伸びる軸を回動軸として前記傾斜面台を回動させる回動部をさらに備えたことを特徴とする請求項１乃至請求項３のいずれか１項に記載のゴルフ練習装置。
【発明の詳細な説明】
【技術分野】
【０００１】
本発明は、ゴルフスウィングを練習させるゴルフ練習装置に関し、特に、複数の傾斜面地形を再現するゴルフ練習装置に関する。
【背景技術】
【０００２】
近年、ゴルフスウィングを練習させるゴルフ練習装置において様々なアイディアが登場してきている。特に、所定の傾斜面地形を再現してその状況で人にゴルフスウィングの練習をさせるという発想のものが多い。その中に、下板と上板の間に、傾斜を有する下円盤と上円盤を、支柱により回動自在に組み込み、下板と上板には関連をもつ回動防止具を設けたゴルフの斜面練習器があった（例えば、特許文献１参照。）。
【先行技術文献】
【特許文献】
【０００３】
【特許文献１】特開２００６−１０２４７０号公報
【発明の概要】
【発明が解決しようとする課題】
【０００４】
しかしながら、上述のゴルフの斜面練習器は、傾斜を有する下円盤と上円盤とを回動させて所望の傾斜面を実現するものであり、傾斜を有する下円盤と上円盤とを回動させて所望の傾斜面を再現させる作業は煩雑である。
【０００５】
また、上述のゴルフの斜面練習器は、本体の持ち運びが容易にできる点を発明の効果に挙げており（特許文献１の段落５を参照）、上板の面積は小さいものと考えられる（特許文献１の図１参照）。しかしながら、上板の面積が小さいとスウィング練習者が安心してスウィング練習を行えないおそれがある。
【０００６】
そこで、本発明は、煩雑な作業なく足場の安定した所望の傾斜面を実現するゴルフ練習装置を提供することを目的とする。
【課題を解決するための手段】
【０００７】
本発明は、上記課題を解決するためになされたものであり、本発明のゴルフ練習装置は、上面が一端側から他端側へ傾斜している台である傾斜面台と、表面に芝を有するマット状の部材である少なくとも１つの芝マット部材と、上記上面に設けられており、上記芝マット部材を上記上面に固定する少なくとも４つの芝マット部材固定部とを具備し、上記芝マット部材固定部は、少なくとも上記上面が傾斜している方向に沿って所定距離離して２つ設けられ、かつ上記上面が傾斜している方向と略直角な方向に沿って所定距離離して２つ設けられたことを特徴とするものである。これにより、足場の安定した所望の傾斜面を煩雑な作業をなく実現させるという作用をもたらす。
【０００８】
また、本発明のゴルフ練習装置において、上記上面が傾斜している方向と所定角度を成す方向に沿って所定距離離した２つの上記芝マット部材固定部から成る芝マット部材固定ユニットを少なくとも１つさらに備えたことを特徴とする。これにより、再現できる傾斜面のパターンを増加させるという作用をもたらす。
【０００９】
また、本発明のゴルフ練習装置において、上記芝マット部材固定ユニットを複数設けて隣り合う上記芝マット部材固定部同士を繋ぎ合わせて略円形状の上記芝マット部材固定部を形成させたことを特徴とする。これにより、芝マット部材固定部が円形状となるため、ゴルフ練習装置の使用者が少しずつ立つ位置を変えることにより、あらゆる傾斜面を再現させるという作用をもたらす。
【００１０】
また、本発明のゴルフ練習装置において、上記傾斜面台の中心付近において上記傾斜面台の上記上面から下面に伸びる軸を回動軸として上記傾斜面台を回動させる回動部をさらに備えたことを特徴とする。これにより、傾斜面台を容易に回動させるという作用をもたらす。
【発明の効果】
【００１１】
本発明によれば、煩雑な作業なく足場の安定した所望の傾斜面を提供することができるという優れた効果を奏し得る。
【図面の簡単な説明】
【００１２】
【図１】本発明の実施の形態におけるゴルフ練習装置１００を示す図である。
【図２】ゴルフ練習装置１００の使用例を示す図である。
【図３】本発明の別の実施の形態におけるゴルフ練習装置２００および３００を示す図である。
【発明を実施するための形態】
【００１３】
次に本発明の実施の形態について図面を参照して詳細に説明する。
【００１４】
図１は、本発明の実施の形態におけるゴルフ練習装置１００を示す図である。図１（ａ）は、ゴルフ練習装置１００の斜視図である。本発明の実施の形態におけるゴルフ練習装置１００は、ゴルフのスウィングを練習するための装置であり、傾斜面台１０と、芝マット部材２０と、芝マット固定部３１乃至３４と、回動部４０とを備える。
【００１５】
傾斜面台１０は、上面１１が一端１１ａから他端１１ｂへ傾斜している台である。傾斜面台１０の上面１１および下面１２の形状は、例えば正方形状等の四角形状とすることが想定されるがこれに限るものではなく、その他の形状であってもよい。そして、上記説明したように上面１１は傾斜しているため、傾斜面台１０の側面１３および１４の形状は台形状になっている。また、傾斜面台１０を形成する材質として、例えば硬質ゴム等のゴム系統の材質とすることが想定されるが、これに限るものではなく、その他の材質であってもよい。
【００１６】
芝マット部材２０は、表面に芝を有するマット状の部材である。芝マット部材２０においては、長方形マット状のマット部材２１の表面に芝２２が突起した状態になっている。芝マット部材２０として、例えば公知のゴルフ練習用の芝付きマットと同様の構造のものが想定されるが、これに限るものではなく、その他の構造のものであってもよい。なお、芝マット部材２０は、少なくとも１つあればよい。
【００１７】
芝マット固定部３１乃至３４は、芝マット部材２０を上面１１に固定するものであり、傾斜面台１０における上面１１に設けられている。芝マット固定部３１および３２は、上面１１が傾斜している方向Ａに沿って所定距離離して設けられている。図１（ａ）において芝マット固定部３１および３２は、それぞれ一端１１ａ、他端１１ｂ付近において一端１１ａ、他端１１ｂに相当する辺と平行に設けられている。
【００１８】
芝マット固定部３３および３４は、上面１１が傾斜している方向と略直角な方向Ｂに沿って所定距離離して設けられている。図１（ａ）において芝マット固定部３３および３４は、それぞれ側端１１ｃ、側端１１ｄ付近において側端１１ｃ、側端１１ｄに相当する辺と平行に設けられている。
【００１９】
また、図１（ａ）において芝マット固定部は、芝マット固定部３１乃至３４の４つが設けられているが、これに限るものではなく、さらに芝マット固定部を適宜設けてもよい。これについては、図３においてさらに説明する。
【００２０】
回動部４０は、傾斜面台１０の中心１０ａ付近において傾斜面台１０の上面１１から下面１２に伸びる軸Ｔを回動軸として、傾斜面台１０を回動させるものである。軸Ｔは、図１（ａ）においては、傾斜面台１０の中心１０ａ付近において傾斜面台１０の上面１１から下面１２に向かって下面１２に対して垂直に伸びている。回動部４０の構成として、傾斜面台１０の下面１２側に設けられた傾斜面台１０の中心１０ａ付近の穴１５に回動部材４１を差し込んだ構成が一例として挙げられるが、この構成に限るものではない。また、回動部材４１の構成として、傾斜面台１０の下面１２の面積とほぼ同じ面積をした板形状の板状部材４２の上面に円柱形状の円柱部材４３を設けた構成が一例として挙げられるが、この構成に限るものではない。回動部材４１の構成を上記のようにした場合、円柱部材４３を穴１５に差し込むことになる。そして、この場合、円柱部材４３の中心軸は、上記軸Ｔとなる。また、回動部材４１の材質は、例えば金属やプラスチック等の材質が想定されるが、これ以外の材質であってもよい。回動部４０を設けることにより、傾斜面台１０を容易に方向転換させることができるため、利用者にとって便利である。
【００２１】
図１（ｂ）は、芝マット部材２０および芝マット固定部（芝マット固定部３１乃至３４のいずれか）の拡大図である。芝マット固定部３１乃至３４として、芝マット部材２０の形状および大きさとほぼ同じ形状および大きさの凹部が想定されるが、これに限るものではない。
【００２２】
図１（ｂ）に示すように芝マット固定部３１乃至３４を芝マット部材２０の形状および大きさとほぼ同じ形状および大きさの凹部とした場合、芝マット部材２０を芝マット固定部３１乃至３４を構成する上記凹部に嵌め込むことにより芝マット部材２０を上面１１に固定する。また、傾斜面台１０の上面１１の凹部があると、そこで人が躓くおそれがあるため、使用していない芝マット固定部３１乃至３４には、凹部とほぼ同じ形状および大きさで、傾斜面台１０と同じ材質の（図示しない）マット部材を嵌め込んでおくようにしてもよい。
【００２３】
なお、芝マット部材２０をさらに強固に固定するために、芝マット部材２０の底面および芝マット固定部を構成する上記凹部の底面にボタンやマジックテープ（登録商標）等の固定部材をさらに備えさせるようにしてもよい。また、上記芝マット固定部３１乃至３４の構成から凹部を除いて、芝マット部材２０の底面および上面１１の表面にボタンやマジックテープ（登録商標）等の固定部材を備えさせた構成を芝マット固定部３１乃至３４の構成としてもよい。
【００２４】
図２は、ゴルフ練習装置１００の使用例を示す図である。図２（ａ）は、ゴルフ練習装置１００を示す図である。そして、図２（ｂ）は、芝マット部材２０を固定した芝マット固定部３３の部分でスウィングをするゴルファー４００の様子を示す図である。なお、ゴルファー４００は右打ちであるものとする。芝マット固定部３３に芝マット部材２０を固定してスウィング練習をする場合、図２（ｂ）に示すように斜面に沿った下り方向（矢印Ｃと同方向）に体の横を向けて、球を打ち出す場面のスウィング練習をすることができる。
【００２５】
図２（ｃ）は、芝マット部材２０を固定した芝マット固定部３１の部分でスウィングをするゴルファー４００の様子を示す図である。芝マット固定部３１に芝マット部材２０を固定してスウィング練習をする場合、図２（ｃ）に示すように斜面に沿った上り方向（矢印Ｃと逆方向）に体の正面を向けて、紙面奥方向（矢印Ｄと逆方向）に球を打ち出す場面のスウィング練習をすることができる。
【００２６】
図２（ｄ）は、芝マット部材２０を固定した芝マット固定部３２の部分でスウィングをするゴルファー４００の様子を示す図である。芝マット固定部３２に芝マット部材２０を固定してスウィング練習をする場合、図２（ｄ）に示すように斜面に沿った下り方向（矢印Ｃと同方向）に体の正面を向けて、紙面表方向（矢印Ｄと同方向）に球を打ち出す場面のスウィング練習をすることができる。
【００２７】
図２（ｅ）は、芝マット部材２０を固定した芝マット固定部３４の部分でスウィングをするゴルファー４００の様子を示す図である。芝マット固定部３４に芝マット部材２０を固定してスウィング練習をする場合、図２（ｅ）に示すように斜面に沿った上り方向（矢印Ｃと逆方向）に体の横を向けて、球を打ち出す場面のスウィング練習をすることができる。
【００２８】
以上説明したようにゴルフ練習装置１００によれば、特別な作業をすることなくゴルファー４００が移動するだけで、４つのパターンの足場の安定した地形においてゴルフスウィングの練習をすることができる。さらに、様々なパターンの地形を実現するため、芝マット固定部をさらに追加した本発明の実施の態様については図３で説明する。
【００２９】
図３は、本発明の別の実施の形態におけるゴルフ練習装置２００および３００を示す図である。なお、以下のゴルフ練習装置２００および３００の説明においてゴルフ練習装置１００と同様の機能を有する部分・機能については、ゴルフ練習装置１００において用いた名称をゴルフ練習装置２００および３００においても用いることとする。また、図３のゴルフ練習装置２００および３００においてゴルフ練習装置１００における回動部４０に相当するものが示されていないが、ゴルフ練習装置２００および３００に回動部４０に相当するものを備えさせてもよい。
【００３０】
図３（ａ）は、ゴルフ練習装置２００を示す図である。ゴルフ練習装置２００は、傾斜面台２１０と、芝マット部材２２０と、芝マット固定部２３０とを備える。傾斜面台２１０および芝マット部材２２０は、それぞれゴルフ練習装置１００における傾斜面台１０および芝マット部材２０と同様のものであり、ゴルフ練習装置１００における傾斜面台１０および芝マット部材２０については既に説明済みであるため、説明を省略することとする。
【００３１】
芝マット固定部２３０は、芝マット部材２２０を傾斜面台２１０の上面２１１に固定するものである点では芝マット固定部３１乃至３４と同様であり、芝マット固定部２３１乃至２３８を備える。芝マット固定部２３１乃至２３８として、芝マット固定部３１乃至３４と同様に、芝マット部材２２０の形状および大きさとほぼ同じ形状および大きさの凹部が想定されるが、これに限るものではない。
【００３２】
芝マット固定部２３１乃至２３８を芝マット部材２２０の形状および大きさとほぼ同じ形状および大きさの凹部とした場合、芝マット部材２２０を芝マット固定部２３１乃至２３８を構成する上記凹部に嵌め込むことにより芝マット部材２２０を上面２１１に固定する。図３（ａ）においては、芝マット部材２２０が芝マット固定部２３７に嵌め込まれた様子が示されている。
【００３３】
なお、芝マット部材２２０をさらに強固に固定するために、芝マット部材２２０の底面および芝マット固定部を構成する上記凹部の底面にボタンやマジックテープ（登録商標）等の固定部材をさらに備えさせるようにしてもよい。また、上記芝マット固定部２３１乃至２３８の構成から凹部を除いて、芝マット部材２２０の底面および上面２１１の表面にボタンやマジックテープ（登録商標）等の固定部材を備えさせた構成を芝マット固定部２３１乃至２３８の構成としてもよい。
【００３４】
芝マット固定部２３１および２３２は、芝マット固定部３１および３２と同様に、上面２１１が傾斜している方向Ｅに沿って所定距離離して設けられている。そして、芝マット固定部２３１および２３２は、それぞれ一端２１１ａ、他端２１１ｂ付近において一端２１１ａ、他端２１１ｂに相当する辺と平行に設けられている。
【００３５】
また、芝マット固定部２３３および２３４は、上面２１１が傾斜している方向と略直角な方向Ｆに沿って所定距離離して設けられている。そして、芝マット固定部２３３および２３４は、それぞれ側端２１１ｃ、側端２１１ｄ付近において側端２１１ｃ、側端２１１ｄに相当する辺と平行に設けられている。
【００３６】
芝マット固定部２３５および２３６は、上面２１１が傾斜している方向Ｅと所定角度α（例えばα＝４５度）を成す方向Ｇに沿って所定距離離して設けられている。同様に、芝マット固定部２３７および２３８は、上面２１１が傾斜している方向Ｅと所定角度β（例えばβ＝３１５度）を成す方向Ｈに沿って所定距離離して設けられている。
【００３７】
なお、本発明において芝マット固定部は、以上述べたように任意の方向につき所定距離離して２つ設ける態様になっている。このため、任意の方向につき所定距離離して設けられた２つの芝マット固定部を１つのユニット（芝マット部材固定ユニットと呼んでもよい。）と捉えてもよい。この捉え方は、本発明のゴルフ練習装置全てについて適宜適用することができる。
【００３８】
そして、図３（ａ）において芝マット固定部２３５の両端部は、それぞれ芝マット固定部２３１の端部、芝マット固定部２３４の端部と繋がっている。すなわち、芝マット固定部２３５は、芝マット固定部２３１および芝マット固定部２３４と繋がった態様で上面２１１に配されている。
【００３９】
また、図３（ａ）において芝マット固定部２３６の両端部は、それぞれ芝マット固定部２３２の端部、芝マット固定部２３３の端部と繋がっている。すなわち、芝マット固定部２３６は、芝マット固定部２３２および芝マット固定部２３３と繋がった態様で上面２１１に配されている。
【００４０】
また、図３（ａ）において芝マット固定部２３７の両端部は、それぞれ芝マット固定部２３１の端部、芝マット固定部２３３の端部と繋がっている。すなわち、芝マット固定部２３７は、芝マット固定部２３１および芝マット固定部２３３と繋がった態様で上面２１１に配されている。
【００４１】
また、図３（ａ）において芝マット固定部２３８の両端部は、それぞれ芝マット固定部２３２の端部、芝マット固定部２３４の端部と繋がっている。すなわち、芝マット固定部２３８は、芝マット固定部２３２および芝マット固定部２３４と繋がった態様で上面２１１に配されている。
【００４２】
そして、芝マット固定部２３１乃至２３８から成る芝マット固定部２３０は、全体として芝マット固定部２３１乃至２３８を一辺として形成された八角形状になっている。なお、図３（ａ）において芝マット固定部２３０は、上記説明したように芝マット固定部２３１乃至２３８が繋がって連通して八角形状を形成した態様になっているが、これに限るものではない。例えば、芝マット固定部２３１乃至２３８のうち隣り合う芝マット固定部同士を繋がらせずに、隣り合う芝マット固定部間に所定距離設けるようにしてもよい。また、芝マット固定部２３１乃至２３８のうち隣り合う芝マット固定部同士を繋がらせる部分と、繋がらせない部分とを混合してもよい。
【００４３】
以上説明したようにゴルフ練習装置２００は芝マット固定部が八角形状になっており、八角形状の場合８パターンの傾斜面を再現していることになる。芝マット固定部が形成している形状を一般化するとｎ角形状（ｎ≧３；ｎは整数）の芝マット固定部を考えることができる。そして、ｎを無限大化すると、ｎ角形は円形になる。ｎ角形のｎを無限大化すると、厳密には無限パターンの傾斜面を再現していることになる。この考え方を適用したのがゴルフ練習装置３００である。
【００４４】
図３（ｂ）は、ゴルフ練習装置３００を示す図である。ゴルフ練習装置３００は、傾斜面台３１０と、芝マット部材３２０と、芝マット固定部３３０とを備えている。ゴルフ練習装置３００は、上記説明したように芝マット固定部３３０を円形状に形成したものである。芝マット固定部３３０を円形状にしたため、図３（ｂ）に示すように芝マット部材３２０の形状も扇形状とする方が好ましいが、その他の形状であってもよい。なお、上記芝マット固定部３３０における「円形状」の用語は、本発明においてはその意味を拡張して楕円形状をも含むものとする。
【００４５】
ゴルフ練習装置２００によれば、特別な作業をすることなくゴルファー４００が移動するだけで、８つのパターンの足場の安定した地形においてゴルフスウィングの練習をすることができる。また、ゴルフ練習装置３００によれば、特別な作業をすることなく厳密に言えば無限のパターンの足場の安定した地形においてスウィング練習をすることができる。
【００４６】
なお、本発明の実施の形態は本発明を具現化するための一例を示したものであり、これに限定されるものではなく本発明の要旨を逸脱しない範囲において種々の変形を施すことができる。
【符号の説明】
【００４７】
１０、２１０、３１０  傾斜面台
１０ａ  中心
１１、２１１  上面
１１ａ、２１１ａ  一端
１１ｂ、２１１ｂ  他端
１１ｃ、１１ｄ、２１１ｃ、２１１ｄ  側端
１５  穴
２０、２２０、３２０  芝マット部材
２１  マット部材
２２  芝
３１、３２、３３、３４、２３０、２３１、２３２、２３３、２３４、２３５、２３６、２３７、２３８、３３０  芝マット固定部
４０  回動部
４１  回動部材
４２  板状部材
４３  円柱部材
１００、２００、３００  ゴルフ練習装置
【図１】
2010264144.tif 000003
【図２】
2010264144.tif 000004
【図３】
2010264144.tif 000005